(57)【特許請求の範囲】
【請求項１】
外壁パネルと勾配屋根又は陸屋根を含む屋根の取り合い部の防水構造であって、
屋根面と平行に外壁パネルに形成された溝に、端部に少なくとも起立片と水平片とが形成された雨押さえ金具の前記起立片と水平片を嵌入し、前記溝の垂直面と雨押さえ金具の起立片との間に、テープ状に構成され且つ水が作用したときに膨潤する発泡系定型止水材からなる第１のシール材を配置すると共に、溝の上部水平面と雨押さえ金具の水平片との間に第２のシール材を配置した
ことを特徴とする外壁パネルと屋根取合部の防水構造。
【請求項２】
前記第１のシール材は、前記雨押さえ金具の起立片に予め取り付けられている
ことを特徴とする請求項１に記載の外壁パネルと屋根取合部の防水構造。
【発明の詳細な説明】
【０００１】
【発明の属する技術分野】
本発明は、下屋の勾配屋根やベランダの陸屋根と外壁パネルとの屋根取合部に於ける防水構造に関し、特に、外壁パネルの表面に形成した溝が浅い場合であっても、確実に防水することが出来る防水構造に関するものである。
【０００２】
【従来の技術】
２階建て以上の建物では、図５（ａ）に示すような陸屋根51を有するベランダ52や、同図（ｂ）に示すような勾配屋根53を有する下屋54等を構成することがある。このような陸屋根51や勾配屋根53では、屋根材の一部を外壁パネル55に接続する取合部56で充分な防水施工を実施することが必要である。
【０００３】
ここで、取合部56に於ける防水構造について図６により説明する。外壁パネル55には各屋根51，53と平行に所定の深さを持った溝55ａが形成されている。各屋根51，53の端部には、各屋根の構造に応じて所定の形状に形成された雨押さえ金具57が配置されており、該雨押さえ金具57の起立片57ａが溝55ａの内部に挿入され、ビス或いは釘によって溝55ａの垂直辺に固定されている。
【０００４】
従って、起立片57ａに連続して形成された水平片57ｂが溝55ａから突出して屋根下地59の上部を覆って配置されており、奥の垂直辺には雨押さえ金具57の起立片57ａが配置されている。そして溝55ａであって、雨押さえ金具57の起立片57ａ，水平片57ｂ，溝55ａの上部水平辺とによって形成された部位にシーリング材60が充填されて防水施工が施されている。
【０００５】
上記防水構造では、外壁パネル55に形成された溝55ａを介して水が屋内に浸入する場合、溝55ａの垂直辺と雨押さえ金具57の起立片57ａとの間に形成された間隙を通ることになる。しかし、溝55ａが充分に深く形成されるため、該溝55ａの上部水平辺とシーリング材60との接合によって水の浸入を阻止することが可能である。
【０００６】
上記外壁パネル55では、表面に屋根面と平行な溝55ａを形成する場合、外壁パネル55の内部に存在する鉄筋との関係で、溝55ａの深さは無制限なものではなく、意匠を施していない状態に於ける表面を規準面として略一定の値（約15mm）を有している。従って、表面に意匠を施していない外壁パネル55では充分に深い溝55ａを形成することが可能であるが、高い意匠を施すことによる凹凸が存在する外壁パネル55では溝55ａの相対的な深さは浅くなる。特に最近では、建物の外壁に高い意匠性を要求することが多くなり、外壁パネル55の表面は平坦な面ではなく、複雑な凹凸が形成されることが多くなっている。
【０００７】
【発明が解決しようとする課題】
上記防水構造では、主として溝の上部水平辺とシーリング材との接合部位によって水の浸入を阻止している。このため、高い意匠性を持った外壁パネルでは、該外壁パネルの表面に形成される溝の深さが浅くなり、シーリング材を充填した場合であっても、該シーリング材と外壁パネルとの接合部位の長さを充分に取ることが出来ず、防水性に対する信頼性を損なう虞が生じるという問題がある。この問題を解決するために、下屋やベランダを構成する部位に配置される外壁パネルの表面であって且つ溝を形成すべき高さの周辺部位には意匠を施さずに平坦面の状態に保持することで、充分な深さを持った溝を形成している。しかし、このような外壁パネルでは外壁パネルの取付位置が固定化することとなり、加工工程上，保管管理上の手間がかかるという問題を派生している。
【０００８】
本発明の目的は、実質的な溝の深さが浅い場合であっても、高い信頼性を発揮することが出来る外壁パネルと屋根取合部の防水構造を提供することにある。
【０００９】
【課題を解決するための手段】
上記課題を解決するために本発明に係る外壁パネルと屋根取合部の防水構造は、外壁パネルと勾配屋根又は陸屋根を含む屋根の取り合い部の防水構造であって、屋根面と平行に外壁パネルに形成された溝に、端部に少なくとも起立片と水平片とが形成された雨押さえ金具の前記起立片と水平片を嵌入し、前記溝の垂直面と雨押さえ金具の起立片との間に、テープ状に構成され且つ水が作用したときに膨潤する発泡系定型止水材からなる第１のシール材を配置すると共に、溝の上部水平面と雨押さえ金具の水平片との間に第２のシール材を配置したことを特徴とするものである。
【００１０】
上記外壁パネルと屋根取合部の防水構造に於いて、前記第１のシール材は、前記雨押さえ金具の起立片に予め取り付けられていることが好ましい。
【００１１】
上記防水構造では、外壁パネルに形成された溝の垂直面と雨押さえ金具の起立片との間に第１のシール材を配置し、且つ雨押さえ金具の起立片，水平片，溝の上部水平面とによって構成されるコ字状の溝に第２のシール材を配置することで、防水に対する信頼性を向上させることが出来る。
【００１２】
例えば溝の深さが浅い場合、第２のシール材と溝の上部水平面との接合長さは短くなる。しかし、雨押さえ金具の起立片と溝の垂直面との間に第１のシール材が配置されるため、前記第２のシール材と上部水平面との間からもし水が浸入した場合であっても、該水を第１のシール材によって阻止することが出来る。このため、外壁パネルと屋根取合部の防水性の信頼性を向上させることが出来る。
【００１３】
【発明の実施の形態】
以下、上記防水構造の好ましい実施形態について図を用いて説明する。図１は防水構造の構成を模式的に説明する断面図である。図２は雨押さえ金具の構成を説明する図である。図３は外壁パネルと屋根との取合部を構成する手順を説明する図である。図４は外壁パネルと屋根との取合部を構成する手順を説明する図である。
【００１４】
図１に示す外壁パネル１と屋根２との取合部Ａの防水構造は、高い意匠が施されることによって浅い溝３が形成された外壁パネル１を対象として開発されたものであるが、溝３の深浅に関わらず適用することが可能であり、且つ防水性能に対し高い信頼性を発揮することが可能である。
【００１５】
取合部Ａの防水構造について具体的に説明する。尚、屋根２が勾配屋根或いは陸屋根の何れであっても、取合部Ａの構造及び防水構造は同一である。従って、本実施例では、屋根２をベランダに代表される陸屋根として構成している。
【００１６】
外壁パネル１の表面には屋根２を構成する例えば瓦等の屋根材４ａの下地材４ｃが釘或いはビス４ｂによって取り付けられており、この下地材４ｃから所定寸法離隔した位置に該下地材４ｃに沿って溝３が形成されている。従って、溝３は屋根２の屋根面（屋根材４ａの面）に対し平行に形成されている。
【００１７】
屋根２の下地材４ｃの表面であって屋根材４ａとの間にはルーフィング５が敷き込まれ、該ルーフィング５の端部が溝３の内部に入り込んで該溝３の下部水平面３ａを覆っている。そして屋根材４ａ及びルーフィング５の上面に雨押さえ金具６が配置され、該雨押さえ金具６の起立片６ａが溝３の内部に入り込み、溝３の垂直面３ｂとの間に第１シール材７を配置した状態で釘或いはビス等の固定具によって外壁パネル１に固定されている。
【００１８】
雨押さえ金具６を固定することで、溝３の下部水平面３ａの上部には雨押さえ金具６の水平片６ｂが配置され、該水平片６ｂと起立片６ａ及び溝３の上部水平面３ｃからなるコ字状の部分が形成される。そして前記コ字状の部分に第２シール材９が充填されている。
【００１９】
雨押さえ金具６は、外壁パネル１に形成された溝３の下部水平面３ａを外壁パネル１の表面レベルまで延長すると共に溝３と屋根２とを連続させる機能を有するものであり、図２に示すように、所定の断面形状を有する長尺状の部材によって構成されている。
【００２０】
このため、雨押さえ金具６は少なくとも、端部に形成した起立片６ａと、起立片６ａに連続して形成された水平片６ｂとを有して構成されており、水平片６ｂから他方の端部にかけての形状は、屋根２が勾配屋根か陸屋根かに対応して異なる場合がある。本実施例では、屋根２が陸屋根であるため、水平片６ｂに連続して段片６ｃが形成されると共に該段片６ｃに連続して第２水平片６ｄが形成されている。
【００２１】
従って、雨押さえ金具６の起立片６ａを溝３に挿入することによって、水平片６ｂが下部水平面３ｂから外壁パネル１に取り付けた下地材４ｃの表面まで突出し、段片６ｃが下地材４ｃの表面を覆い、更に第２水平片６ｄが下地材４ｃの上面に取り付けた屋根材４ａの表面を覆うことで、見掛け上、溝３の下部水平面を継目のない状態で屋根２に接続することが可能である。
【００２２】
第１シール材７は、溝３の垂直面３ｂと雨押さえ金具６の起立片６ａとの間に配置されて両者の間をシールする機能を有するものであり、この第１シール材７により、溝３に水が浸入した場合であっても、この水が垂直面３ｂと起立片６ａとの間隙を通って屋内側へ浸入することを防止している。
【００２３】
第１シール材７としては、溝３に挿入されたとき該溝３の垂直面３ｂと接触して水の通過を阻止し得るものであれば良く、材質や性状を限定するものではない。しかし、防水施工を実施する際の作業性の面やシール性の面からみて、雨押さえ金具６の起立片６ａの高さと略等しい幅寸法を持ったテープ状に構成されていることが好ましく、また水が作用したとき膨潤する発泡系定形止水材、或いはゴムパッキン等のシール材を用いることが好ましい。
【００２４】
上記第１シール材７では、雨押さえ金具６の起立片６ａの端面に接着剤或いは両面テープ等により取り付けることが可能である。そして、予め雨押さえ金具６の起立片６ａに第１シール材７を取り付けておくことで、施工に際して容易に溝３の垂直面３ｂとの間に配置することが可能となる。
【００２５】
第２シール材９は材質等の条件を特に限定するものではなく、従来よりシーリング材として利用しているものをそのまま用いている。
【００２６】
上記の如く構成された取合部Ａでは、外壁パネル１に形成された溝３の実質的な深さが浅くなり、溝３の上部水平面３ｃの寸法が小さくなった場合であっても、溝３の垂直面３ｂと雨押さえ金具６の起立片６ａとの間に配置された第１シール材７によって水の浸入を防止することが可能である。即ち、溝３の深さに関わらず確実に且つ安定した状態でシールすることが可能となる。
【００２７】
次に、取合部Ａに於ける防水構造を構成する手順について図３，図４により簡単に説明する。
【００２８】
先ず、屋根２が外壁パネル１に接続する部位に下地材４ｃを配置しビス４ｂによって固定する。次いで、外壁パネル１の表面であって下地材４ｃから所定寸法離隔した位置に、屋根２の屋根面と平行な溝３を形成する。前記外壁パネル１の表面の状態が高い意匠を施したものであるか否かは何ら限定することがなく、単に、下地材４ｃを固定する際のレベルを一致させるものであれば良い。従って、溝３を形成すべき部位が凹状に形成されている場合であっても、該部位に予め溝３を形成するための特殊な加工を施す必要はない。
【００２９】
次に、屋根２の下地材４ｃの上面にルーフィング５を敷き込み、該ルーフィング５の端部を溝３の内部に到達させておく。次いで、予め起立片６ａに第１シール材７を取り付けた雨押さえ金具６を用意し、起立片６ａを溝３の内部に挿入すると共に、固定具８によって起立片６ａに適度の力を作用させて垂直面３ｂに固定する。この雨押さえ金具６は、起立片６ａが適度な間隔を持って固定具８によって固定されることで、屋根２と外壁パネル１との取合部Ａの全長にわたって配置されると共に固定される。
【００３０】
上記の如くして雨押さえ金具６を溝３に取り付けることによって、見掛け上、溝３の下部水平面３ａの寸法が大きくなる。そして溝３の下部水平面となる雨押さえ金具６の水平片６ｂと上部水平面３ｃと垂直面３ｂ，起立片６ａとによって構成されるコ字状の空間に第２シール材９を充填することで、防水構造が完成する。
【００３１】
【発明の効果】
以上詳細に説明したように本発明に係る防水構造では、外壁パネルに形成された溝の垂直面と雨押さえ金具の起立片との間に第１のシール材を配置し、且つ溝の上部水平面と雨押さえ金具の水平片との間に第２のシール材を配置することによって、第２のシール材と上部水平面との接合長さが短くて水が浸入した場合であっても、この水を第１のシール材によって阻止することが出来、これにより、屋内側への防水性を確保することが出来る。
【００３２】
このように、本発明では、従来は顧みられなかった溝の最奥部の垂直面と雨押さえ金具の起立片との間隙をシール部として機能させたので、溝が浅く、該溝の上部水平面の長さが短い場合であっても、確実なシール性能を確保することが出来る。このため、外壁パネルの表面が美観の向上をはかるために加工された凹凸を有するものであっても良好な状態で対応させることが出来る。
【００３３】
このため、外壁パネルの意匠性の高低や意匠の有無に関わらず安定した防水性能を確保することが出来、防水施工のために意匠性を損なうことがない。このことは、防水施工部位に対応する外壁パネルを特別なパネルとする必要がないことを意味しており、専用パネルを無くして工程の簡素化をはかり、且つ保管管理の簡素化をはかることが出来る。
【図面の簡単な説明】
【図１】防水構造の構成を模式的に説明する断面図である。
【図２】雨押さえ金具の構成を説明する図である。
【図３】外壁パネルと屋根との取合部を構成する手順を説明する図である。
【図４】外壁パネルと屋根との取合部を構成する手順を説明する図である。
【図５】陸屋根と勾配屋根の例を説明する図である。
【図６】従来の取合部に於ける防水構造の例を説明する図である。
【符号の説明】
Ａ                  取合部
１                  外壁パネル
２                  屋根
３                  溝
３ａ                下部水平面
３ｂ                垂直面
３ｃ                上部水平面
４ａ                屋根材
４ｂ                ビス
４ｃ                下地材
５                  ルーフィング
６                  雨押さえ金具
６ａ                起立片
６ｂ                水平片
６ｃ                段片
６ｄ                第２水平片
７                  第１シール材
９                  第２シール材
【図１】
0004255181.tif 000002
【図２】
0004255181.tif 000003
【図３】
0004255181.tif 000004
【図４】
0004255181.tif 000005
【図５】
0004255181.tif 000006
【図６】
0004255181.tif 000007